(57)【特許請求の範囲】
【請求項１】
車両の誘電体で構成された部分に、短辺と長辺を備える矩形状のループ状素子を設け、車両を構成する導体に近い部分に、前記ループ状素子の２つの給電端子を設置し、
前記ループ状素子の近傍に、前記ループ状素子を構成する導体から独立した導体で構成された無給電素子を配置し、
前記無給電素子は、前記給電端子の間を通り、前記ループ状素子を左右に二等分する中心線の何れか一方の側にのみ配置すると共に、前記短辺に略平行な第１の成分と前記長辺に略平行な第２の成分とから構成したことを特徴とする無指向性アンテナ。
【請求項２】
請求項１に記載の無指向性アンテナであって、
前記第２の成分は、前記長辺と前記車両を構成する導体に挟まれた位置に配置したことを特徴とする無指向性アンテナ。
【請求項３】
請求項１又は２に記載の無指向性アンテナであって、
前記ループ状素子を構成する導体の長さを、前記無指向性アンテナによって受信される電波の周波数の１波長以下に構成したことを特徴とする無指向性アンテナ。
【請求項４】
請求項１から３の何れか１項に記載の無指向性アンテナであって、
前記無給電素子を構成する導体の全長を、前記無指向性アンテナによって受信される電波の周波数の二分の一波長に相当する長さ、或いはそれに近い長さにしたことを特徴とする無指向性アンテナ。
【請求項５】
請求項１から４の何れか１項に記載の無指向性アンテナであって、
前記給電端子において、前記２つの給電端子のうちの一方の端子を、同軸ケーブルまたは給電回路のホット側に接続し、他方の端子を前記同軸ケーブルまたは給電回路のアース側に接続したことを特徴とする無指向性アンテナ。
【請求項６】
請求項５に記載の無指向性アンテナであって、
前記他方の端子、前記同軸ケーブル、および前記給電回路の何れも、前記一方の端子の近傍において、前記車両を構成する導体に対して電気的に絶縁したことを特徴とする無指向性アンテナ。
【請求項７】
請求項１から６の何れか１項に記載の無指向性アンテナであって、
前記車両を構成する導体を、車両のピラーとしたことを特徴とする無指向性アンテナ。
【請求項８】
請求項７に記載の無指向性アンテナであって、
前記導体に沿って前記ループ状素子を複数設置したことを特徴とする無指向性アンテナ。
【請求項９】
請求項８に記載の無指向性アンテナであって、
車両のガラス部分の上部両端部のうち、一方の端部近傍に複数の前記ループ状素子を設け、他方の端部近傍にも複数の前記ループ状素子を設けたことを特徴とする無指向性アンテナ。
【請求項１０】
請求項８又は９に記載の無指向性アンテナであって、
一方の端部に設置した複数の前記ループ状素子のうち、少なくとも２つの前記ループ状素子を車両のルーフ部の金属に対して略同等の距離を隔てて配置したことを特徴とする無指向性アンテナ。
【請求項１１】
請求項８又は９に記載の無指向性アンテナであって、
前記ピラーに沿って配置された複数の前記ループ状素子のうち、最も上部に設置された第１のループ状素子は、前記第１のループ状素子の下部に隣接して配置された第２のループ状素子に対して、横長であることを特徴とする無指向性アンテナ。
【請求項１２】
請求項８から１１の何れか１項に記載の無指向性アンテナであって、
前記ループ状素子を備えた複数のアンテナのうち、一部または全部のアンテナで受信する各信号の位相および受信電圧を変化させて、アレイアンテナとして所望の指向性が得られるように合成したことを特徴とする無指向性アンテナ。
【請求項１３】
請求項８から１１の何れか１項に記載の無指向性アンテナであって、
前記ループ状素子を備えた複数のアンテナを、複数のアンテナ群に分割し、各アンテナ群において、複数の前記アンテナのうち、一部または全部のアンテナで受信する各信号の位相および受信電圧を変化させて合成させ、その結果として出力される各アンテナ群毎の複数の受信信号の一部または全部の信号の位相および受信電圧を変化させて合成したことを特徴とする無指向性アンテナ。
【請求項１４】
請求項１３に記載の無指向性アンテナであって、
前記アンテナ群からの信号を合成する方法が、受信帯域内に複数存在するキャリアごとに位相および受信信号電圧を変化させて複数のアンテナ群からの信号を合成することを特徴とする無指向性アンテナ。
【請求項１５】
請求項８から１２何れか１項に記載の無指向性アンテナであって、
前記ループ状素子を備えた複数のアンテナで受信した各信号それぞれに複数存在するキャリア毎に位相および受信信号電圧を変化させて前記複数のアンテナからの信号を合成することを特徴とする無指向性アンテナ。
【請求項１６】
請求項１から１５の何れか１項に記載の無指向性アンテナであって、
前記ループ状素子及び前記無給電素子を構成する導体を、透明な樹脂製シートの上に配置したことを特徴とする無指向性アンテナ。
【発明の詳細な説明】
【技術分野】
【０００１】
本発明は無指向性アンテナに関し、特に、自動車のような移動体において、放送などの電波を受信するための水平面内無指向性アンテナに関する。
【背景技術】
【０００２】
従来から、自動車等の車両（移動体）には、移動中にも電波の受信等を可能にするアンテナが搭載されている。一般に、車両が受信する電波は、長年に渡ってＡＭラジオ用の中波（ＭＷ）とＦＭラジオ用やテレビ用の超短波（ＶＨＦ）や極超短波（ＵＨＦ）が主なものであった。
【０００３】
ところが近年、これらの電波を受信するアンテナに加えて、高周波帯のＧＰＳ（グローバル・ポジショニング・システム：全地球測位システム）用のアンテナ、あるいは衛星デジタル放送用の衛星電波やその再放射波（ギャップフィラー波）を受信するアンテナや、自動車電話や携帯電話等の電話用の電波を送受信するアンテナが車両に必要となりつつある。更には、ＩＴＳ（高度道路交通システム）の一環として、高速道路や有料道路の料金を自動的に徴収するＥＴＣ（自動料金所システム）や、道路交通情報を提供するＶＩＣＳ（道路交通情報通信システム）の電波ビーコンに対しても電波の送受信を行うアンテナが必要となってきている。従って、近年の車両は、多くの種類の電波（メディア）を受信、或いは送信するためのアンテナを搭載しなければならなくなってきている。
【０００４】
このような移動体が送信或いは受信すべき電波の中で、放送波を受信するためのアンテナとしては一般に、モノポールアンテナが使用されることが多かった。モノポールアンテナは、移動体が自動車の場合、ルーフ部やバンパーのコーナー部に設けられることが多かったが、最近ではリヤウインドウやサイドウインドウに埋め込まれる形式のモノポールアンテナもある。
【発明の開示】
【発明が解決しようとする課題】
【０００５】
しかしながら、放送波の受信にモノポールアンテナを使用した場合、モノポールアンテナは一般に受信帯域が狭いので、放送波の周波数帯域が広がると対応できなくなる虞があった。また、モノポールアンテナは、その指向性が無指向性を実現しにくいという問題点もあった。さらに、モノポールアンテナはその取り付け作業性についても、アンテナ給電点の近傍で自動車のボディにアースを接続する必要があるなどの問題点があった。
【０００６】
そこで、本発明は、水平面内において指向性が無指向性に近く、かつ広帯域で自動車への取り付け作業性にも優れており、放送波を受信するのに適した無指向性アンテナを提供することを目的としている。
【課題を解決するための手段】
【０００７】
前記目的を達成する本発明の無指向性アンテナは、車両の誘電体で構成された部分に、短辺と長辺を備える矩形状のループ状素子を設け、車両を構成する導体に近い部分に、ループ状素子の２つの給電端子を設置し、ループ状素子の近傍に、ループ状素子を構成する導体から独立した導体で構成された無給電素子を配置し、無給電素子は、給電端子の間を通り、ループ状素子を左右に二等分する中心線の何れか一方の側にのみ配置すると共に、短辺に略平行な第１の成分と長辺に略平行な第２の成分とから構成したことを特徴としている。
【発明の効果】
【００２６】
以上説明したように、本発明の無指向性アンテナによれば、水平面内において指向性が無指向性に近く、かつ広帯域で自動車等の車両への取り付け作業性にも優れており、放送波を受信するのに適した無指向性アンテナを提供することができる。特に、本発明の無指向性アンテナは、車両の誘電体部分に設置する場合に、高利得、無指向性のアンテナを実現することができるという効果がある。
【発明を実施するための最良の形態】
【００２７】
以下添付図面を用いて本発明の無指向性アンテナの実施の形態を、具体的な実施例に基づいて詳細に説明する。
【００２８】
図１（ａ）は、本発明の無指向性アンテナ１０を、自動車１のフロントウインドウ２に取り付ける場合の設置位置の例を示すものである。本発明の無指向性アンテナ１０を設置できる位置は、例えば、自動車１の左側のピラー（Ａピラー）３Ｌの近傍のフロントウインドウ２上の位置Ｌ１、Ｌ２、自動車１の右側のピラー（Ａピラー）３Ｒの近傍のフロントウインドウ２上の位置Ｒ１、Ｒ２、或いは自動車の１のルーフ４の近傍のフロントウインドウ２上の右側の位置Ｆ１、Ｆ２等である（図示はしないが左側の位置でも良い）。
【００２９】
ルーフ４から、位置Ｌ１の中心までの距離は、丸で示す位置に検査章があるので２００ｍｍ程度、位置Ｌ２の中心までの距離は３７０ｍｍ程度とし、位置Ｌ１、Ｌ２までの自動車１の左側のピラー３Ｌからの距離は２０ｍｍ程度とすることができる。ルーフ４から、位置Ｒ１の中心までの距離は、検査章がないので１００ｍｍ程度、位置Ｌ２の中心までの距離は２７０ｍｍ程度とすることができる。また、右側のピラー３Ｒから、位置Ｆ１の中心までの距離は１００ｍｍ程度で良い。
【００３０】
自動車１の左側のピラー３Ｌの近傍のフロントウインドウ２に無指向性アンテナ１０を設置する場合は、検査章の下方の位置Ｌ１、Ｌ２のように並べて配置することができる。また、自動車１の右側のピラー３Ｒの近傍のフロントウインドウ２に無指向性アンテナ１０を設置する場合も、位置Ｒ１、Ｒ２のように並べて配置することができる。更に、自動車１のルーフ４の近傍のフロントウインドウ２に無指向性アンテナ１０を設置する場合は、位置Ｆ１、Ｆ２のように横に並べて配置することができる。
【００３１】
２つの無指向性アンテナ１０をフロントウインドウ２に設置する場合は、位置Ｒ１、Ｒ２のように同じ位置に２つ並べて設置しても良いが、位置Ｆ１，Ｒ１のように異なる位置に設置しても良い。同様に、３つの無指向性アンテナ１０をフロントウインドウ２に設置する場合は、位置Ｒ１、Ｒ２と位置Ｆ１のように、同じ位置に２箇所、異なる位置に１箇所配置するか、全て異なる位置に１つずつ設置することができる。すなわち、フロントウインドウ２に複数の無指向性アンテナ１０を設置する場合は、これらの設置位置をどのように組み合わせても良い。
【００３２】
図１（ｂ）は（ａ）に示すフロントウインドウ２の左側のピラー３Ｌの近傍に設置する無指向性アンテナ１０の一実施例の構成を示すものである。この実施例の無指向性アンテナ１０は、矩形状のループ状素子１０Ａを備えており、その給電端子１１，１２は、左側のピラー３Ｌ、即ち、自動車を構成する導体に近い側に設置されている。この給電端子１１，１２には、後述するコネクタが接続される。なお、ループ状素子１０Ａの形状は矩形状に限られるものではなく、楕円形や円形でも良い。
【００３３】
図１（ｃ）は（ａ）に示すフロントウインドウ２の左側のピラー３Ｌの近傍に設置する無指向性アンテナ１０の別の実施例の構成を示すものである。この実施例の無指向性アンテナ１０は、（ｂ）に示したものと同様のループ状素子１０Ａを備えると共に、ループ状素子１０Ａの隣接する辺の近傍に、ループ状素子１０Ａとは独立した導体で構成される無給電素子１０Ｂが配置されたものである。無給電素子１０Ｂをループ状素子１０Ａの近傍に配置することにより、この実施例の無指向性アンテナ１０は、更に優れた無指向の指向性を得ることができる。
【００３４】
図１（ｄ）は（ａ）に示すフロントウインドウ２の右側のピラー３Ｒの近傍に設置する無指向性アンテナ１０の実施例の構成を示すものである。この実施例の無指向性アンテナ１０は、矩形状のループ状素子１０Ａを備えており、その給電端子１１，１２は、右側のピラー３Ｒ、即ち、自動車を構成する導体に近い側に設置されている。この給電端子１１，１２には、後述するコネクタが接続される。この実施例の無指向性アンテナ１０は、二点鎖線で示す位置に無給電素子１０Ｂを配置することにより、更に優れた無指向の指向性を得ることができる。
【００３５】
図１（ｅ）は（ａ）に示すフロントウインドウ２のルーフ４の近傍に設置する無指向性アンテナ１０の実施例の構成を示すものである。この実施例の無指向性アンテナ１０は、矩形状のループ状素子１０Ａを備えており、その給電端子１１，１２は、ルーフ４、即ち、自動車を構成する導体に近い側に設置されている。この給電端子１１，１２には、後述するコネクタが接続される。この実施例の無指向性アンテナ１０は、二点鎖線で示す位置に無給電素子１０Ｂを配置することにより、更に優れた無指向の指向性を得ることができる。
【００３６】
図１（ｆ）は（ａ）に示すフロントウインドウ２のルーフ４の近傍に設置する無指向性アンテナ１０の別の実施例の構成を示すものであり、（ｅ）で説明した無指向性アンテナ１０の変形例である。（ｅ）で説明した実施例では、給電端子１１，１２がルーフ４に近い側に設置されていたが、この実施例の給電端子１１，１２はピラー３Ｒに近い側に設置されている。何れの場合も給電端子１１，１２は、自動車を構成する導体に近い側に設置されている。
【００３７】
図２（ａ）は、図１（ａ）に示した自動車のフロントウインドウ２に実際に設置する無指向性アンテナ１０の形状の一実施例を示すものである。この実施例のループ状素子１０Ａは、横方向の幅Ｗが約１５０ｍｍ，縦方向の幅Ｈが約４０ｍｍの矩形状をしており、給電端子１１，１２はループ状素子１０Ａの内側にあって、６ｍｍ角のプレートである。また、ループ状素子１０Ａの線幅は０．３ｍｍ程度にすることができる。給電端子１１，１２の周囲に記載されている破線が、後述するコネクタの取り付け位置である。
【００３８】
図２（ｂ）は（ａ）に示した無指向性アンテナ１０の近傍に無給電素子１０Ｂを配置した実施例を示すものであり、（ｃ）は（ｂ）に示した無給電素子１０Ｂを途中で折り曲げた別の形状の実施例を示すものである。（ｃ）の無給電素子１０Ｂは、ループ状素子１０Ａの長辺に平行に折り曲げられている。
【００３９】
図２（ｂ）に示す無給電素子１０Ｂは、ループ状素子１０Ａの給電端子１１，１２から見たループ状素子１０Ａの実質的な対極を結ぶ直線に対して平行な第１の成分と、垂直な第２の成分に分解して見た時に、第１の成分が存在するようにループ状素子１０Ａの近傍に配置されている。この実施例のループ状素子１０Ａは矩形状であるので、ループ状素子１０Ａの給電端子１１，１２から見たループ状素子１０Ａの実質的な対極を結ぶ直線は、ループ状素子１０Ａの中心線であり、無給電素子１０Ｂには縦方向の辺（短辺）に平行な成分があれば良いことになる。
【００４０】
また、図２（ｃ）に示す無給電素子１０Ｂは、ループ状素子１０Ａの給電端子１１，１２から見たループ状素子１０Ａの実質的な対極を結ぶ直線に対して平行な第１の成分と、垂直な第２の成分に分解して見た時に、第１の成分と第２の成分の両方が存在するようにループ状素子１０Ａの近傍に配置されている。即ち、この実施例の無給電素子１０Ｂには縦方向の辺（短辺）に平行な成分と、横方向の辺（長辺）がある。このように、無給電素子１０Ｂは、その一部または全部をループ状素子１０Ａに平行に配置することができる。なお、無給電素子１０Ｂはループ状素子１０Ａの各辺に正確に平行である必要はなく、多少のずれがあっても問題はない。
【００４１】
また、本発明の無指向性アンテナ１０に使用する無給電素子１０Ｂは、ループ状素子１０Ａの給電端子１１，１２の間を通り、ループ状素子１０Ａの給電端子１１，１２から見たループ状素子１０Ａの実質的な対極を結ぶ直線（中心線）に対して何れか一方の側にのみ配置されていれば良い。そして、ループ状素子１０Ａを構成する導体の長さは、無指向性アンテナ１０によって受信される電波の周波数のほぼ１波長に相当する長さ、またはそれ以下に構成する。なお、ここで、１波長とは、無指向性アンテナ１０が誘電体に設置されることによる波形短縮後の長さである。更に、無給電素子１０Ｂを構成する導体の長さは、無指向性アンテナ１０によって受信される電波の周波数の二分の一波長に相当する長さ、或いはそれに近い長さとする。
【００４２】
図３（ｂ）は、（ａ）に示す自動車１のフロントウインドウ２の左側のピラーに無指向性アンテナ１０を設置した場合の、アンテナの水平指向性を示す特性図である。また、図３（ｄ）は、（ｃ）に示す自動車１のフロントウインドウ２のルーフ近傍に無指向性アンテナ１０を設置した場合のアンテナの水平指向性を示す特性図である。図３（ｂ）、（ｄ）から分かるように、本発明の無指向性アンテナ１０は、自動車１のフロントウインドウ２のピラー沿いに設置した場合に、より無指向性に近い指向性が得られる。また、本発明の無指向性アンテナ１０は、自動車１のフロントウインドウ２のルーフ沿いに設置した場合は、無指向性ではあるが、アンテナ前方にやや強い指向性を持つ特性が得られる。
【００４３】
図４（ａ）は、本発明の無指向性アンテナ１０を車両に取り付けて車両を水平に１回転させたときの１周平均利得の周波数特性を示す特性図であり、（ｂ）はこれと比較するためのダイポールアンテナを車両に取り付けて車両を水平に１回転させたときの１周平均利得の周波数特性を示す特性図である。実線で示す特性がアンテナ配線をボティから少し浮かせた場合のものであり、破線で示す特性がアンテナ配線をボティに密着させた場合のものである。本発明の無指向性アンテナ１０は、全ての受信帯域において利得に変動がないのに対して、折り返しダイポールアンテナの方は、受信帯域で受信周波数に対して利得にムラがあることが分かる。
【００４４】
図５（ａ）は本発明の無指向性アンテナに接続するコネクタ２０の外観を示すものである。コネクタ２０の筐体２１の底面（アンテナへの取り付け面）２４には２つの開口部２３があり、この開口部２３からばね性を有する接続端子３１，３２が突出している。接続端子３１，３２は、筐体２１に内蔵された回路基板（誘電体基板）３０に取り付けられており、この回路基板３０には同軸ケーブル２２が接続している。コネクタ２０はその底面２４が両面テープなどの粘着剤によって、図２（ａ）から（ｃ）に破線で示した位置に取り付けられる。この実施例では、接続端子３１がホット側（信号伝達側）の端子であり，接続端子３２がアース側の端子である。
【００４５】
図５（ｂ）は、（ａ）に示したコネクタ２０の内部にある回路基板３０の構成を、筐体２１を除いて示すものである。接続端子３１，３２は回路基板３０の裏面側に取り付けられており、スルホール３３，３４で回路基板３０の表側に導かれ、回路基板３０の表側に取り付けられた回路（集積回路）４０に接続されている。同軸ケーブル２２は、その中心導体２２Ａが回路４０に接続しており、外導体２２Ｂは、回路基板３０の上のアース側の接続端子３２に接続している。このように、ループ状素子１０Ａのアース側端子、同軸ケーブル２２の外導体２２Ｂ、および給電回路４０の何れも、ループ状素子１０Ａの給電部近傍においては、車両ボディに対しては電気的に接続していない。
【００４６】
図５（ｃ）は（ｂ）に示した回路４０の内部構成を示すものである。回路４０の内部には無指向性アンテナ１０に接続するフィルタ４１、フィルタ４１から出力される信号を増幅するアンプ４２、アンプ４２から出力される信号帯域を定めるフィルタ４３があり、このフィルタ４３は直流を阻止するコンデンサ４４を介して同軸ケーブル２２の中心導体に接続している。この同軸ケーブル２２は電源重畳ケーブルであり、重畳された電源電圧は、コイル４５を通じてアンプ４２に供給される。
【００４７】
図６、図７、図８（ａ）、（ｂ）、および図９（ａ）から（ｃ）は本発明の無指向性アンテナを使用する受信機の構成の第１から第７の実施例をそれぞれ示すブロック回路図である。これらの図において、１０は本発明の無指向性アンテナ、５１はチューナ、５３はＡ／Ｄ変換器、５４は高速フーリエ復調器、５５はアダプティブ合成器、５６は帯域分割合成ダイバーシティ、５７は誤り訂正器、５８はデコーダ、５９は選択ダイバーシティ、６０はテレビ受像機を示している。
【００４８】
本発明の無指向性アンテナ１０は、これを複数を使用して、その複数の無指向性アンテナ１０のうち、一部または全部のアンテナで受信する各信号の位相および受信電圧を変化させて、アレイアンテナとして所望の指向性が得られるように合成することができる。また、前述の複数の無指向性アンテナ１０を複数のアンテナ群に分割し、各アンテナ群において、複数のアンテナのうちの一部または全部のアンテナで受信する各信号の位相および受信電圧を変化させて合成させ、その結果として出力される各アンテナ群毎の複数の受信信号の一部または全部の信号の位相および受信電圧を変化させて合成することができる。ここで、本発明の無指向性アンテナ１０を使用する受信機の第１から第７の実施例の構成を簡単に説明する。
【００４９】
図６に示す第１の実施例では、４つの無指向性アンテナ１０が用いられており、各アンテナ１０はチューナ５１に接続されている。アンテナ１０で受信され、チューナ５１で復調されて出力されたアナログ信号はそれぞれＡ／Ｄ変換器５２によってデジタル信号に変換される。デジタル変換された信号は、２つのアンテナ１０毎にアダプティブ合成器５３に入力され、信号のレベル（電圧）と位相とが最適に合わせられて合成される。合成された信号は高速フーリエ復調器５４で復調され、アダプティブ合成器５５で再度合成されて１つの信号となり、誤り訂正器５７、デコーダ５８を通ってテレビ受像機６０に入力される。
【００５０】
第１の実施例における４つのアンテナ１０は、同じ電波を受信し、その配置は図１に示した６カ所のアンテナの位置Ｌ１、Ｌ２、Ｆ１、Ｆ２、Ｒ１、Ｒ２の何れの４箇所でも良いが、好ましくは、隣接する２つのアンテナ位置を優先させ、隣接する２つの位置で受信した電波をアダプティブ合成した方が良い。
【００５１】
図７に示す第２の実施例でも、４つの無指向性アンテナ１０が用いられており、各アンテナ１０はチューナ５１に接続されている。第２の実施例が第１の実施例と異なる点は、高速フーリエ復調器５４で復調された２つの信号が、アダプティブ合成器５３ではなく、帯域分割合成ダイバーシティ５６に入力される点のみである。帯域分割合成ダイバーシティ５６は、アダプティブ合成器５３のように入力される２つの信号を合成するものではなく、入力される２つの信号について各信号内で細分された帯域を帯域毎に比較し、良い方の帯域を選択して合成するものである。デジタル放送の場合、１つのチャンネルの帯域が非常に広く、１つの帯域の中に数千のキャリアが含まれている。帯域分割合成ダイバーシティ５６は、この数千のキャリア毎に良い方のキャリアを選択し、選択したキャリアを合成して再び１つの帯域に戻して出力するのである。
【００５２】
従って、第２の実施例の場合は、１つの帯域分割合成ダイバーシティ５６に入力される信号は異なる方が良く、アンテナ位置についてみるとその位置が隣接しているよりも、離れている方が良い。例えば、図１に示した６カ所のアンテナの位置Ｌ１、Ｌ２、Ｆ１、Ｆ２、Ｒ１、Ｒ２の内の、フロントウインドウ２の左側の位置Ｌ１と位置Ｌ２にあるアンテナ１０を１つのアダプティブ合成器５３に接続し、右側の位置Ｒ１とＲ２にあるアンテナ１０を１つのアダプティブ合成器５３に接続しておけば、帯域分割合成ダイバーシティ５６はフロントウインドウ２の左側の位置で受信された信号と右側の位置で受信された信号の内の良い方の信号を帯域毎に選択するので、受信性能が良くなる。
【００５３】
図８（ａ）に示す第３の実施例は、４つの無指向性アンテナ１０で受信され、それぞれチューナ５１で復調された後にＡ／Ｄ変換器でデジタル信号に変換された信号の電圧と位相とが、アダプティブ合成器５３で最適に合わせられて合成された後に高速フーリエ復調器５４で復調される点のみが前述の２つの実施例と異なる。第３の実施例における４つのアンテナ１０で受信された電波は全てアダプティブ合成器５３で合成されるので、４つのアンテナの位置は、図１に示した６カ所のアンテナの位置Ｌ１、Ｌ２、Ｆ１、Ｆ２、Ｒ１、Ｒ２の何れの４箇所でも良い。
【００５４】
図８（ｂ）に示す第４の実施例は、４つの無指向性アンテナ１０で受信され、それぞれチューナ５１で復調された後にＡ／Ｄ変換器でデジタル信号に変換され、高速フーリエ復調器５４で復調された信号が、帯域分割合成ダイバーシティ５６によって各帯域毎に４つから１つ選択されて合成される点が他の実施例と異なる。
【００５５】
図９（ａ）に示す第５の実施例は、図８（ｂ）で説明した受信機のアンテナ１０が４つから２つに減らされた実施例の構成を示すものであり、図９（ｂ）に示す第６の実施例は、図８（ａ）で説明した受信機のアンテナ１０が４つから２つに減らされた実施例の構成を示すものである。アンテナ数を４つから２つにすれば、回路構成が簡単になる。
【００５６】
図９（ｃ）に示す第７の実施例は、デジタル放送を受信するテレビ受像機６０に接続されるダイバーシティアンテナの構成を示すものである。この構成では受信した信号を帯域分割せずにチャンネル毎に選択するので、回路構成が簡単である。このような構成の受信機にも、本発明の無指向性アンテナ１０を使用することができる。
【００５７】
なお、本発明の無指向性アンテナ１０は、ループ状素子１０Ａと無給電素子１０Ｂを構成する導体を、透明な樹脂製シートの上に配置することができる。
【図面の簡単な説明】
【００５８】
【図１】（ａ）は本発明の無指向性アンテナの自動車のフロントウインドウへの設置位置を示す説明図、（ｂ）は（ａ）に示すフロントウインドウの左側のピラー近傍に設置する無指向性アンテナの一実施例の構成を示す図、（ｃ）は（ａ）に示すフロントウインドウの左側のピラー近傍に設置する無指向性アンテナの別の実施例の構成を示す図、（ｄ）は（ａ）に示すフロントウインドウの右側のピラー近傍に設置する無指向性アンテナの一実施例の構成を示す図、（ｅ）は（ａ）に示すフロントウインドウのルーフ近傍に設置する無指向性アンテナの一実施例の構成を示す図、（ｆ）は（ａ）に示すフロントウインドウのルーフと右側のピラーの接続部の近傍に設置する無指向性アンテナの一実施例の構成を示す図である。
【図２】（ａ）は、図１（ａ）に示した自動車のフロントウインドウに実際に設置する無指向性アンテナの形状の一実施例を示す平面図、（ｂ）は（ａ）に示した無指向性アンテナの近傍に無給電素子を配置した実施例を示す平面図、（ｃ）は（ｂ）に示した無給電素子の別の形状の実施例を示す平面図である。
【図３】（ａ）、（ｂ）は自動車のフロントウインドウの左側のピラーに無指向性アンテナを設置した場合のアンテナの水平指向性を示す特性図、（ｃ）、（ｄ）は自動車のフロントウインドウのルーフ近傍に無指向性アンテナを設置した場合のアンテナの水平指向性を示す特性図である。
【図４】（ａ）はループアンテナを車両に取り付けて車両を水平に１回転させたときの１周平均利得の周波数特性を示す特性図、（ｂ）は折り返しダイポールアンテナを車両に取り付けて車両を水平に１回転させたときの１周平均利得の周波数特性を示す特性図である。
【図５】（ａ）は本発明の無指向性アンテナに接続するコネクタの外観を示す斜視図、（ｂ）は（ａ）に示したコネクタの内部にある回路基板の構成を示す平面図、（ｃ）は（ｂ）に示した回路の内部構成を示すブロック回路度図である。
【図６】本発明の無指向性アンテナを使用する受信機の構成の第１の実施例を示すブロック回路図である。
【図７】本発明の無指向性アンテナを使用する受信機の構成の第２の実施例を示すブロック回路図である。
【図８】（ａ）は本発明の無指向性アンテナを使用する受信機の構成の第３の実施例を示すブロック回路図、（ｂ）は本発明の無指向性アンテナを使用する受信機の構成の第４の実施例を示すブロック回路図である。
【図９】（ａ）は本発明の無指向性アンテナを使用する受信機の構成の第５の実施例を示すブロック回路図、（ｂ）は本発明の無指向性アンテナを使用する受信機の構成の第６の実施例を示すブロック回路図、（ｃ）は本発明の無指向性アンテナを使用する受信機の構成の第７の実施例を示すブロック回路図である。
【符号の説明】
【００５９】
１    自動車
２    フロントウインドウ
３Ｌ    左ピラー
３Ｒ    右ピラー
４    ルーフ
１０    本発明の無指向性アンテナ
１０Ａ    ループ状素子
１０Ｂ    無給電素子
２０    コネクタ
２２    同軸ケーブル
３０    誘電体基板（回路基板）
３１、３２    接続端子
３３，３４    スルホール
４０    回路
【図１】
0004738036.tif 000002
【図２】
0004738036.tif 000003
【図３】
0004738036.tif 000004
【図４】
0004738036.tif 000005
【図５】
0004738036.tif 000006
【図６】
0004738036.tif 000007
【図７】
0004738036.tif 000008
【図８】
0004738036.tif 000009
【図９】
0004738036.tif 000010